(57)【特許請求の範囲】
【請求項１】
ＨＤＤ上書き消去モードを備える画像形成装置であって、
ＨＤＤ内部温度を検知するＨＤＤ内部温度検知手段と、
前記ＨＤＤ内部温度検知手段により検知したＨＤＤ内部温度の状況に応じて前記ＨＤＤ上書き消去モードの間欠動作を制御する間欠動作制御手段と、
前記ＨＤＤ上書き消去モードとして速度優先/寿命優先モードの選択をする消去モード選択手段と、
前記速度優先モード時のＨＤＤのデバイスリミット温度の設定をする速度優先デバイスリミット温度設定手段と、
前記寿命優先モード時のＨＤＤのデバイスリミット温度の設定をする寿命優先デバイスリミット温度設定手段と、を備え、
ユーザの必要度に応じて前記ＨＤＤ上書き消去モードを選択することを特徴とする画像形成装置。
【請求項２】
ＨＤＤ上書き消去モードを備える画像形成装置であって、
ＨＤＤ内部温度を検知するＨＤＤ内部温度検知手段と、
前記ＨＤＤ内部温度検知手段により検知したＨＤＤ内部温度の状況に応じて前記ＨＤＤ上書き消去モードの間欠動作を制御する間欠動作制御手段と、
コピー、プリント、ファックス文書の機密度を設定する機密度設定手段と、
前記機密度に応じたＨＤＤのデバイスリミット温度の設定をする機密度によるデバイスリミット温度設定手段と、を備え、
文書の機密度に応じて前記ＨＤＤ上書き消去モードを選択することを特徴とする画像形成装置。
【請求項３】
前記ＨＤＤ上書き消去モードの動作可能時間をスケジューリングするスケジューリング手段を備え、
夜間にＨＤＤ上書き消去動作を行うことを特徴とする請求項１または２記載の画像形成装置。
【請求項４】
ＨＤＤを複数台装着していることを検知する装着ＨＤＤ検知手段と、
複数台のＨＤＤに対して交互にＨＤＤ上書き消去を行わせるＨＤＤ交互消去手段と、を備え、
前記ＨＤＤ内部温度の最も低いＨＤＤに対して優先的にＨＤＤ上書き消去動作を行うことを特徴する請求項１または２記載の画像形成装置。
【請求項５】
速度最優先モードを選択可能な速度最優先選択手段と、
消去方式の１つである乱数方式にて書込み回数を任意に設定する乱数方式回数決定手段と、を備え、
前記速度最優先モード選択時は乱数方式の１回書込みでＨＤＤ上書き消去動作を行うことを特徴とする請求項１または２記載の画像形成装置。
【発明の詳細な説明】
【技術分野】
【０００１】
本発明は、ＨＤＤ（Hard disk Drive）上書き消去を行う手段を備える画像形成装置に関する。
【背景技術】
【０００２】
近年、画像データを大量に蓄積するためにＨＤＤが搭載された画像形成装置が普及している。しかし、この画像形成装置では消去したはずのデータがＨＤＤから流出する危険があり、データを悪用されることによって引き起こされるトラブルが懸念されてきた。
【０００３】
セキュリティ向上のため、様々な技術の提案がなされてきた。例えば特許文献１では、紙詰りなどにより印刷作業が中断したとき、その中断時間が所定時間以上継続した場合、その時点でそのデータを上書き消去することにより高い機密性を確保することが可能な画像形成装置が開示されている。
【０００４】
特許文献２では、ユーザの目的に合わせて、記憶手段へのアクセスの優先順位、データ消去の優先順位を設定することができ、ＨＤＤのデータ消去中であったとしても、消去の実行を待たずに新たなデータの書込みが行えるような、処理の効率化を図ることのできる画像形成装置が開示されている。
【特許文献１】特開２００６−２６２４０２号公報
【特許文献２】特開２００６−２８７８７１号公報
【発明の開示】
【発明が解決しようとする課題】
【０００５】
従来技術では、ＨＤＤ上書き消去モードでのＨＤＤ内部温度の上昇が激しく、ＨＤＤ上書き消去モードでのデバイス温度保証を行うとなると、温度上昇対策が必要となる問題があった。
【０００６】
本発明はこのような実情を鑑みてなされたものであり、間欠動作に主眼をおき、ＨＤＤ上書き消去動作時におけるＨＤＤ内部温度の著しい上昇を防ぐことのできる画像形成装置を提供することを目的としている。
【課題を解決するための手段】
【０００７】
本発明にかかる画像形成装置は、ＨＤＤ上書き消去モードを備える画像形成装置であって、ＨＤＤ内部温度を検知するＨＤＤ内部温度検知手段と、ＨＤＤ内部温度検知手段により検知したＨＤＤ内部温度の状況に応じてＨＤＤ上書き消去モードの間欠動作を制御する間欠動作制御手段と、ＨＤＤ上書き消去モードとして速度優先/寿命優先モードの選択をする消去モード選択手段と、速度優先モード時のＨＤＤのデバイスリミット温度の設定をする速度優先デバイスリミット温度設定手段と、寿命優先モード時のＨＤＤのデバイスリミット温度の設定をする寿命優先デバイスリミット温度設定手段と、を備え、ユーザの必要度に応じてＨＤＤ上書き消去モードを選択することを特徴とする。
【発明の効果】
【００１７】
本発明によれば、ＨＤＤ内部温度の状況に応じてＨＤＤ上書き消去モードの間欠動作の制御をすることができるので、ＨＤＤ上書き消去モード時のＨＤＤ内部温度の著しい上昇を防ぐことができる。
【発明を実施するための最良の形態】
【００１８】
以下に、図面を用いて本発明の実施形態を詳細に説明する。
【００１９】
図１は本発明の一実施形態のシステム構成を示すブロック図である。図示するように、画像形成装置のメインコントローラは、ＨＤＤ１００、１０１、１０２、１０３、ＣＰＵ（Central Processing Unit）１０４、画像形成装置制御ＡＳＩＣ（Application Specified IC）１０５、メモリ１１５、ＲＴＣ（Real Time Clock）回路１１６を備えている。
【００２０】
図中ＨＤＤ１００〜１０３は、画像形成装置に内蔵されたものであり、主に画像データの格納を行う。本発明におけるＨＤＤ上書き消去モードでの消去対象となる画像データもこのＨＤＤ１００〜１０３に格納される。
【００２１】
ＣＰＵ１０４は、ＲＯＭに格納されたプログラムに従って、画像形成装置を制御するメインコントローラの制御を行う集中演算装置である。
【００２２】
制御ＡＳＩＣ１０５は、画像形成装置制御に必要な各回路を装備した回路である。図中では、本発明に必要な部分のみを選択し、回路を記載する。すなわち図中では制御ＡＳＩＣ１０５はＨＤＤ制御回路１０６、ＨＤＤ消去制御回路１０７、メモリ制御回路１０８、ＨＤＤ温度検知回路１０９、ＨＤＤ消去モード設定回路１１０、ＨＤＤ検知回路１１１、ＨＤＤデバイスリミット温度設定回路１１２、ＨＤＤスケジュール回路１１３、ホスト・インターフェース（ホストI/F）回路１１４を備えている。
【００２３】
ＨＤＤ制御回路１０６は、ＨＤＤ１００〜１０３に対してコマンドを発行し、リード/ライド動作等を制御する。ＨＤＤ消去制御回路１０７は、ＨＤＤ消去モードのＯＮ/ＯＦＦ、ＨＤＤ消去の消去方法、ＨＤＤ上書き消去モードの間欠動作等のパラメータを基にＨＤＤ１００〜１０３に対して消去制御を行う。メモリ制御回路１０８は、メモリ１１５に対してリード/ライド/リフレッシュ動作等を制御する。
【００２４】
ＨＤＤ温度検知回路１０９は、ＨＤＤ１００〜１０３のＳ．Ｍ．Ａ．Ｒ．Ｔ情報を取得しその温度を保存する。ＨＤＤ消去モード設定回路１１０は、ＨＤＤ消去の消去方法の設定や消去の上書き回数の設定等を行う。ＨＤＤ検知回路１１１は、画像形成装置に装着されているＨＤＤを電源起動毎に自動検知する。
【００２５】
ＨＤＤデバイスリミット温度設定回路１１２は、ＨＤＤデバイスのデバイスリミット温度を設定する。ＨＤＤ消去スケジュール回路１１３は、ＨＤＤ上書き消去モードを動作させる時間帯を予め設定する。ホストI/F回路１１４は、ＮＩＣ（Network Interface Card）、ＵＳＢ（Universal Serial Bus）等のI/FによりホストＰＣ（Personal Computer）１１７を接続する。ＲＴＣ回路１１６は、現在時刻を保存する。
【００２６】
（実施形態１）
図２は、ＨＤＤ内部温度状況によるＨＤＤ上書き消去モードの間欠動作制御の流れを示したフローチャートである。本実施形態では、ＨＤＤデータ消去の処理の一例ついて、図２に示すフローチャートを用いて詳細に説明する。
【００２７】
コピー、プリンタ、ＦＡＸ送受信を実施するとＨＤＤ１００〜１０３内のテンポラリ領域に、ジャムリカバリー等のバックアップ用に画像データを一時格納する。ＨＤＤ消去機能をＯＮに設定していると、コピー、プリンタ、ＦＡＸ送受信動作終了後、バックアップした画像データを消去する為にＨＤＤ上書き消去を自動的に実施する。その消去方式として、ＮＡＳ方式、ＤＯＤ方式、乱数方式と様々な方式が用意されているが、予め設定された方式にてＨＤＤ上書き消去を実施する。
【００２８】
まずＨＤＤ上書き消去動作の開始前に事前にＳ．Ｍ．Ａ．Ｒ．Ｔ情報取得することによってＨＤＤ内部温度情報を検知する（ステップＳ２０１）。取得したＨＤＤ内部温度が予め設定されたデバイスリミット温度を超えているか否かを判定する（ステップＳ２０２）。
【００２９】
ＨＤＤ内部温度が予め設定されたデバイスリミット温度を超えていない場合(ステップＳ２０２/ＮＯ)は、ＨＤＤ上書き消去動作（ステップＳ２０５）を実施する。消去動作開始前にデバイスリミット温度を超えていた場合（ステップＳ２０２/ＹＥＳ）には、消去動作は開始しない（ステップＳ２０３）。
【００３０】
また、ＨＤＤ上書き消去動作を開始した後でもＨＤＤ内部温度を定期的に検知しており、デバイスリミット温度を越えた時点で消去動作を停止する。上記ステップＳ２０３の後、デバイスリミット温度より３℃低くなったか否かを確認する（ステップＳ２０４）。ＨＤＤ内部温度がデバイスリミット温度より３℃以上低い場合（ステップＳ２０４/ＹＥＳ）は、上記Ｓ２０５すなわち消去動作を再開する。デバイスリミット温度よりー３℃より高い場合（ステップＳ２０４/ＮＯ）は、上記Ｓ２０５は再開されない。
【００３１】
間欠動作はＨＤＤ上書き消去が完了するまで実施され、完了後に所定の時間を経て待機状態もしくは節電状態に移行する。
【００３２】
本実施形態により、ＨＤＤ上書き消去モードをＨＤＤ内部温度の状況に応じて間欠動作できるため、デバイスの温度規格を満足し、かつ、騒音低減、冷却部品不要によるコストダウン等が可能となる。
【００３３】
（実施形態２）
図３は、モード設定の流れを示すフローチャートである。上記実施形態１のＨＤＤ上書き消去動作を行うにあたり、予め優先順位のモード設定を行う。本実施形態では、優先順位設定の処理の一例について、図３に示すフローチャートを用いて説明する。
【００３４】
モード設定は速度優先モードと寿命優先モードの２つのモードより選択を行う（ステップＳ３０１）。デフォルトは速度優先モードに設定している。モードを選択すると、デバイスリミット温度の設定値が設定される。
【００３５】
速度優先モードを選択した場合（ステップＳ３０１/速度）は、デバイスリミット温度としてデバイス規格値が設定される（ステップＳ３０２）。この場合には、消去動作自体は早く終わるが、温度的なマージンがなく、デバイスにとっては厳しい条件での使われ方になる為、寿命劣化が早い。
【００３６】
一方、寿命優先モードを選択した場合（ステップＳ３０１/寿命）は、デバイス規格値よりも１０℃低い値でデバイスリミット温度が設定される（ステップＳ３０３）ので、消去動作自体は遅くなる可能性があるが、温度的なマージンがあり、デバイスにとっては寿命が延びる環境で使われることで、通常よりも寿命劣化は遅くなる。
【００３７】
本実施形態により、速度優先/寿命優先の各モードを提供することができるので、ユーザは速度優先/寿命優先を選択することができ、ユーザの希望に合った動作を提供することが可能となる。
【００３８】
（実施形態３）
図４は、機密度を設定する流れを示したフローチャートである。上記実施形態１のＨＤＤ上書き消去動作を行うにあたり、予め機密度に関するモードの設定を行う。本実施形態では、この機密度の設定の処理の一例について、図４に示すフローチャートを用いて説明する。
【００３９】
機密度の設定は、コピーとＦＡＸの場合は本体にて設定を行い、プリンタの場合にはプリント時のドライバ画面にて設定を行う。ここではコピー動作の場合を例として以下に説明する。
【００４０】
コピー時、用紙、コピー枚数、両面動作等の設定と併せて機密度の設定をコピー機操作部画面より行う（ステップＳ４０１）。機密度は高/中/低の３種類設定できるとする。機密度の設定が高か否かを判断し（ステップＳ４０２）、機密度が高の場合（ステップＳ４０２/ＹＥＳ）は、ユーザが寿命優先モードに予め設定していても自動的に速度優先モードが選択され（ステップＳ４０３）、ＨＤＤ消去時に間欠動作をなるべく入れない制御でＨＤＤ消去動作を行う。一方、機密度が中又は低の場合（ステップＳ４０２/ＮＯ）は、予めユーザが設定していたモードでＨＤＤ消去動作を行う（ステップＳ４０４）。
【００４１】
従来はＨＤＤ上書き消去モードを選択可能であっても、一度設定すると変更が面倒で、ユーザの必要度に応じた消去モードを即時に選択することはできなかった。しかし本実施形態により、文書の機密度に応じて消去モードを自動的に選択するので、たとえ消去が遅いモードに設定していた場合であっても、機密性が高い文書を即時に消去することが可能となる。
【００４２】
（実施形態４）
図５は、ＨＤＤ上書き消去動作を行う時間の設定の流れを示したフローチャートである。予め設定することができるＨＤＤ上書き消去動作時間の設定の処理の一例について、図５に示すフローチャートを用いて説明する。
【００４３】
ＨＤＤ上書き消去動作を行う時間を予め設定する方法（ステップＳ５０１）としては２種類あり、本体より設定を行う（ステップＳ５０１/本体）方法と、ＰＣより設定を行う（ステップＳ５０１/ＰＣ）方法である。本体より設定を行う場合は、本体操作部から設定する（ステップＳ５０２Ａ）。一方、ＰＣより設定する場合は、ＰＣの機器管理ユーティリティを使用して設定する（ステップＳ５０２Ｂ）。ここでは本体の操作部から設定する方法を例として以下に説明する。
【００４４】
ＨＤＤ消去機能のＯＮ/ＯＦＦはデフォルトでＯＮとなっており、設置された後にユーザが自由にＯＮ/ＯＦＦを設定することが可能である。ＯＮにした場合、デフォルトでは２４時間ＯＮに設定している。
【００４５】
例えば、夜間電力利用で２３時より翌７時の間の電気料金が低価格になるとすると、ユーザは夜間電力開始時間を２３時、夜間電力終了時間を７時と設定する（ステップＳ５０３Ａ）。続けて、ＨＤＤ消去動作時間の開始時間/終了時間を設定し(ステップＳ５０４Ａ)、ＨＤＤ消去動作時間の設定を行う（ステップＳ５０５）。尚設定の際、毎日同じ時間にするか曜日によって時間帯を変更するかを選択することが可能である。
【００４６】
従来はＨＤＤ上書き消去を行うと消費電力が高く、省エネモードに入れずに電気料金が高くなってしまい、さらにはユーザの立場としてはＨＤＤ消去自体を即時に行わなくてもよい場合もあるため、余計な電気料金がかかってしまっていた。しかし本実施形態により、電気料金の安い夜間にＨＤＤ上書き消去動作を行わせることができるので、電気料金を安くすることが可能となる。
【００４７】
（実施形態５）
図６は、ＨＤＤ上書き消去動作を分散する流れを示したフローチャートである。ＨＤＤ上書き消去動作を分散する処理の一例について、図６のフローチャートを用いて説明する。
【００４８】
画像形成装置の電源をＯＮにした場合に、まず装置のダイアグを行うが、そのダイアグを行う前にＨＤＤの個数を検知する(ステップＳ６０１、ステップＳ６０２)。ＨＤＤが１台の場合（ステップＳ６０２/ＮＯ）には特に設定変更は行わない。一方ＨＤＤが複数台ある場合（ステップＳ６０２/ＹＥＳ）は、ＨＤＤ上書き消去時の分散消去設定フラグを所定のレジスタに立てる（ステップＳ６０３）。
【００４９】
その後、ＨＤＤ上書き消去動作を行った場合（ステップＳ６０４）には、複数存在する各ＨＤＤ内部温度を監視し（ステップＳ６０５）、温度の低いＨＤＤから優先的に消去動作を行う（ステップＳ６０６）。
【００５０】
クラスタ単位で消去処理を行う場合、１クラスタの消去が終了するとＨＤＤ内部温度情報を検知する（ステップＳ６０７）。他のＨＤＤ内部温度と比較して(ステップＳ６０８)、現状より温度の低いＨＤＤがあった場合（ステップＳ６０８/ＹＥＳ）には、最も低い温度のＨＤＤに対して消去動作を行う（ステップＳＳ６０９）。現状よりも温度の低いＨＤＤが無かった場合（Ｓ６０８/ＮＯ）は消去動作を現状のＨＤＤにおいて続行する。低い温度のＨＤＤに順々に消去処理を行った後、最終的に残ったＨＤＤに対して間欠消去動作を行い、全領域の消去が終わったところで処理は終了となる。
【００５１】
本実施形態により、ＨＤＤ上書き消去動作を一台のＨＤＤに集中して処理させることがなく、ＨＤＤの負荷を時間的に分散することができるので、ＨＤＤ内部温度の著しい上昇を回避することが可能となる。
【００５２】
（実施形態６）
図７は、速度最優先モードを選択した場合の流れを示したフローチャートである。速度最優先モードを選択した場合の処理の一例について、図７に示すフローチャートを用いて説明する。
【００５３】
上記実施形態２において速度優先モード、寿命優先モードに応じてデバイスリミット温度を変更すると説明したが、更に速度最優先モードというモードも用意している。速度最優先モードを選択している場合（ステップＳ７０１/ＹＥＳ）には、消去方式は乱数方式、書込み回数は１回に自動的に設定する（ステップＳ７０２）。書き込み回数１回の場合には、ＮＳＡ方式の３回に比べて早く消去動作を完了させることが可能である。
【００５４】
本実施形態により、速度最優先モードを選択した場合には、乱数方式の１回書込みをすることで、最短時間で上書き消去を行うことが可能となり、機密度の高い文書を即時に消去することが可能となる。
【００５５】
尚、各図のフローチャートに示す処理をＣＰＵ１０４が実行するためのプログラムは本発明によるプログラムを構成する。
【００５６】
以上好適な実施の形態に基づき具体的に説明したが、本発明は上述した実施形態に係る画像形成装置に限定されるものではなく、その要旨を逸脱しない範囲で種々変更可能であるといことは言うまでもない。
【図面の簡単な説明】
【００５７】
【図１】本発明の実施形態のシステム構成を示すブロック図である。
【図２】本発明の実施形態に係るＨＤＤ消去処理を示すフローチャートである。
【図３】本発明の実施形態に係る速度優先/寿命優先のモード選択処理を示すフローチャートである。
【図４】本発明の実施形態に係る機密度設定処理を示すフローチャートである。
【図５】本発明の実施形態に係る予め設定可能なＨＤＤ消去動作時間の設定処理を示すフローチャートである。
【図６】本発明の実施形態に係るＨＤＤ消去動作を分散する処理を示すフローチャートである。
【図７】本発明の実施形態に係る速度最優先モードを選択した場合の処理を示すフローチャートである。
【符号の説明】
【００５８】
１００    ＨＤＤ
１０１    ＨＤＤ
１０２    ＨＤＤ
１０３    ＨＤＤ
１０４    ＣＰＵ
１０５    画像形成装置制御ＡＳＩＣ
１０６    ＨＤＤ制御回路
１０７    ＨＤＤ消去制御回路
１０８    メモリ制御回路
１０９    ＨＤＤ温度検知回路
１１０    ＨＤＤ消去モード設定回路
１１１    ＨＤＤ検知回路
１１２    ＨＤＤデバイスリミット温度設定回路
１１３    ＨＤＤ消去スケジュール回路
１１４    ホストI/F
１１５    メモリ
１１６    ＲＴＣ回路
１１７    ホストＰＣ
【図１】
0005347266.tif 000002
【図２】
0005347266.tif 000003
【図３】
0005347266.tif 000004
【図４】
0005347266.tif 000005
【図５】
0005347266.tif 000006
【図６】
0005347266.tif 000007
【図７】
0005347266.tif 000008